(57)【要約】【課題】現在の固定化されたゴルフバッグの形状を、自然との調和が表現でき、ゴルフバックの高さが利用者の使い易さによって調節できるように考慮され、ゴルフバックの移動方法がスムーズになるように工夫を凝し、最小限度の重量にする。【解決手段】本考案は、ゴルフクラブをグリップ側からバスケット又はかご穴に挿入し、それを指示するバスケット又はかごが支柱に取り付けられ、支柱の下端部に車輪付き台が設けられているバスケット又はかご、支柱、車輪付き台が各々分離できるようなり軽量化を実現したバスケット又はかご式次世代ゴルフバッグとする。【選択図】図２１
0003124792.tif 000002
【実用新案登録請求の範囲】
【請求項１】
ゴルフクラブをグリップ側からバスケット又はかご穴へ挿入し、それを指示するバスケット又はかごが支柱に取り付けられ、支柱の下端部に車輪付き台が設けられた本考案のバスケット又はかご式次世代ゴルフバッグ。
【請求項２】
バスケット又はかご、支柱、車輪付き台の各々を分離できることを特徴とする請求項１に記載のバスケット又はかご式次世代ゴルフバッグ。
【請求項３】
車輪台には滑り防止用ストッパーが取り付けられていることを特徴とする請求項１から請求項２のいずれかに記載されているバスケット又はかご式次世代ゴルフバッグ。
【請求項４】
車輪台をプラスチックにより作られていることを特徴とする請求項１から請求項３のいずれかに記載されているバスケット又はかご式次世代ゴルフバッグ。
【請求項５】
坂道などの凸凹によって生じる車輪の振動を弱めるための構造として支柱の下端部から車輪台にかけての内部構造にらせん状のホースを組み込ませたことを特徴とする請求項１から請求項４のいずれかに記載されているバスケット又はかご式次世代ゴルフバッグ。
【請求項６】
支柱の下端部を球体にして前後左右の動きを円滑にできることを特徴とした請求項１から請求項５のいずれかに記載されているバスケット又はかご式次世代ゴルフバッグ。
【請求項７】
支柱に付いたハンドルを取り外し調整可能にし、レバーハンドルにしていることを特徴とする請求項１から請求項６のいずれかに記載のバスケット又はかご式次世代ゴルフバッグ。
【請求項８】
支柱の上部にバスケット又はかご等をはめ込んで乗せる事ができるフックが設けられていることを特徴とする請求項１から７のいずれかに記載のバスケット又はかご式次世代ゴルフバッグ。
【請求項９】
バスケット又はかごの脱落防止用の留め金を設けていることを特徴とする請求項１から請求項８のいずれかに記載のバスケット又はかご式次世代ゴルフバッグ。
【請求項１０】
支柱にかごを取り付ける際、支柱の左右にかごを固定する為にベルトを設けていることを特徴とする請求項１から請求項９のいずれかに記載のバスケット又はかご式次世代ゴルフバッグ。
【請求項１１】
支柱の高さの調整手段が付属の高さ調整用の付け替え支柱１５センチメートル程度を付属の部品として提供すること特徴とする請求項１から請求項１０のいずれかに記載のバスケット又はかご式次世代ゴルフバッグ。
【請求項１２】
かごの網の目部分にゴルフクラブヘッドにフックにより固定されている保護キャップが設けられたことを特徴とする請求項１から請求項１１のいずれかに記載の
バスケット又はかご式次世代ゴルフバッグ。
【請求項１３】
ゴルフバッグカバー又は雨具を着脱自在に取り付け可能なスペース設けていることを特徴とする請求項１から請求項１２のいずれかに記載のバスケット又はかご式次世代ゴルフバッグ。
【請求項１４】
エプロン型になった本考案のゴルフバッグ専用カバーを設けたことを特徴とする請求項１から請求項１３のいずれかに記載のバスケット又はかご式次世代ゴルフバッグ。
【請求項１５】
スカート型になった本考案のゴルフバッグ専用カバーを設けたことを特徴とする請求項１から請求項１４のいずれかに記載のかご式移動型ゴルフケース。
【請求項１６】
本考案が専用の取り外し自由肩掛けベルトを設けたことを特徴とする請求項１から請求項１５のいずれかに記載のバスケット又はかご式次世代ゴルフバッグ。  
【考案の詳細な説明】
【技術分野】
【０００１】
本考案は、かご式となったゴルフクラブ収納バスケット又はかごを、支柱定着型車輪台上部に取り付け一体化させることにより軽量化され、自然と調和を表現できるバスケット又はかご式次世代ゴルフバッグに関する。
【背景技術】
【０００２】
これまで、ゴルフバッグ等は種類が多く存在しており、形状や重量も多様化されて、個人のサイズ、趣味に合わせて選ぶことができ、実用十分である。現在、開示されている中で特開８−４７５５６等がある。
【０００３】
しかし、開示されているゴルフクラブ収納具は、本考案のバスケット又はかご式次世代ゴルフバッグと比較すると収納具の素材や移動方法が大きく異なるものであり、重量と大きさの点から高齢者、女性、子供達等がゴルフバッグを持ち運び又は移動する際に負担となる可能性がある。
【０００４】
一般的なゴルフバッグは、軽量化と使い易さに対して固定化されており、利用者の必要性に応じる改革の余地がある。
【０００５】
ゴルフはスポーツの中で最も自然と調和され、自然を守りながら行うゲームであるのに、従来のゴルフバッグ又は収納具は自然を感じさせていない。
【特許文献１】特開８−４７５５６広報
【考案の開示】
【考案が解決しようとする課題】
【０００６】
現在の固定化されたゴルフバッグの形状を、自然との調和が表現できるものとする。
【０００７】
ゴルフバックの高さが利用者の使い易さによって調節できるようにする。
【０００８】
ゴルフバックの移動方法がスムーズになるように、ハンドル、支柱、車輪に工夫を凝らす。
【０００９】
ゴルフクラブが傷つかないように収納され、最小限度の重量にする。
【００１０】
雨具などの収納スペースも確保する。
【課題を解決するための手段】
【００１１】
本考案は、ゴルフクラブをグリップ側からバスケット又はかご穴に挿入し、それを指示するバスケット又はかごが支柱に取り付けられ、支柱の下端部に車輪付き台が設けられているバスケット又はかご、支柱、車輪付き台が各々分離できるようなったバスケット又はかご式次世代ゴルフバッグとする。
【００１２】
全体的な形状を考慮した結果、前記段落番号０００７に記載の解決手段を優先し、ゴルフバッグ収納部分をバスケット又はかご式とすることで草や竹等を素材として利用でき、自然との調和を表現できるものとする。
【００１３】
前記段落番号０００８で記載されている解決の手段に対しては、高さ調整可能な付け替え支柱１５センチメートル程度を付属の部品として提供する。
【００１４】
更に本考案は、前記の段落番号０００８に対しての解決するための手段として、バスケット又はかご、が利用者の用途により、簡単に他のバッグ等と交換できるよう支柱上部に、はめ込んで乗せる事ができるフックを設ける。
【００１５】
支柱上部に設けた前記段落番号００１５で記載のフック先端に、バスケット又はかご等の脱落防止用の留め金を設け、支柱の左右にかごを固定する為のベルトを取り付ける。
【００１６】
支柱の下端部から車輪台にかけて車輪の振動を弱めるために、内部構造にらせん状のホースを組み込ませ、下端部先端を球体にして前後左右の動きを円滑にする。
【００１７】
車輪台の素材を車のバンパーや子供用のおもちゃ等に使用される軽量で丈夫なプラスチックとし、車輪台にはストッパーも備え付けた。
【００１８】
使いやすさを追求すると、支柱に付いているハンドルを取り外し調整可能なレバーハンドルにし、さらに取り外し可能な肩掛けベルトを設けた。
【００１９】
前記段落番号００１０ゴルフクラブが傷つかないことを考慮した結果、ゴルフクラブヘッドの保護キャップを設け、バスケット又はかごの網の目の部分に保護キャップ固定するフックと本考案専用クラブヘッド防水保護キャップも考案した。
【００２０】
前記段落番号００１１の解決手段に対し雨具の収納場所として、収納かごと支柱の間に空間を設け、本考案のバスケット又はかご式次世代ゴルフバッグ専用の防水カバーも考案する。
【考案の効果】
【００２１】
バスケット又はかご式となり軽量化を実現した本考案のバスケット又はかご式次世代ゴルフバッグは、加重が軽減されることにより、主に高齢者、女性、子供達が持ち運び、移動する際に容易になり、ゴルフバッグ移動方法等の余計な心労を負わないで済むので、本来のゴルフのプレイを楽しむことができる。
【００２２】
加えて、使いやすさの観点からも調整可能なレバーハンドルにすることで、利用する個人の好みの方向に調整でき、腕への負担を可能な限り解消できる。
【００２３】
高さ１５センチメートル程度の調整用の付け替え支柱を、付属の部品として提供し、移動により便利な肩掛けベルトの長さを調整することにより、本考案のバスケット又はかご式次世代ゴルフバッグは家族それぞれに合った高さや大きさに調整でき、家族全員の利用が可能である。
【００２４】
支柱の下端部から車輪台にかけて内部構造にらせん状のホースを組み込ませたり、下端部先端を球体にして前後左右の動きを円滑にしたので、坂道などの凸凹によって生じる車輪の振動を弱め穏やかに移動でき、ベルトで収納部が安定した状態で本考案のバスケット又はかご式次世代ゴルフバッグを利用可能である。
【００２５】
又、軽量化された本考案のバスケット又はかご式次世代ゴルフバッグは、ゴルフをしない人でもバスケット等、収納具の種類を取り替えることにより買い物やレジャー、旅行等の様々な用途に応じた使い方ができる。
【００２６】
ゴルフクラブ収納部をバスケット又はかご式にすることで、自然を身近に感じ、世界中の地域で民芸として草類や竹等から作られているバスケット又はかごを、本考案のものとしても製造でき、バスケットやかごを作る職人達に、新しい商業分野を提供することも可能であり、更に地域の活性化に役立つ可能性がある。
【考案を実施するための最良の形態】
【００２７】
本考案のバスケット又はかご式次世代ゴルフバッグの主な特徴として、バスケット又はかご式となったゴルフクラブ収納部を、支柱定着型車輪台上部に取り付け一体化させることであり、この異なった形状のものを１つにすることにより成り立つ本考案のバスケット又はかご式次世代ゴルフバッグである。
【図面の簡単な説明】
【００２８】
【図１】バスケット又はかご式となったゴルフクラブ収納部構造を表した斜め図。
【図２】ゴルフクラブ収納部等をはめ込んで乗せる事ができる支柱正面図。
【図３】車輪台平面図。
【図４】車輪台の構造を表した立面図。
【図５】車輪台に取り付けられたストッパーの使用を示した説明図。
【図６】付属の付け替え支柱を組足すことを表している示し図。
【図７】ゴルフクラブ収納部をはめ込んで乗せる方法を表している方法図
【図８】正面から見た本考案のバスケット又はかご式次世代ゴルフバッグ。
【図９】後部から見た本考案のバスケット又はかご式次世代ゴルフバッグ。
【図１０】正面より向かって左方向から見た本考案バスケット又はかご式次世代ゴルフバッグ。
【図１１】正面より向かって右方向から見た本考案バスケット又はかご式次世代ゴルフバッグ。
【図１２】レバーハンドルの様々な角度の利用方法の示し図。
【図１３】角度を調整したレバーハンドルの利用方法の示し図。
【図１４】本考案のすずらん型ゴルフクラブヘッド保護キャップの被せ方の方法図。
【図１５】本考案のすずらん型ゴルフクラブヘッド保護キャップとエプロン型になった本考案のゴルフバッグ専用カバーの利用方法を表した示し図。
【図１６】スカート型になった本考案のゴルフバッグ専用カバーを利用した示し図。
【図１７】様々な種類のバスケットやカバン等も利用可能なことを示した図。
【図１８】肩掛けベルトの平面図
【図１９】肩掛けベルトの装着の方法図
【図２０】凸凹道でもスムーズに移動できることを表現した全体図
【図２１】本考案のバスケット又はかご式次世代ゴルフバッグ全体図。
【符号の説明】
【００２９】
１  ゴルフクラブ収納バスケット又はかご。
２  固定ベルトの通し穴
３  ゴルフクラブ挿入口
４  バスケット又はかごの脱落防止用の留め金。
５  バスケット又はかごをはめ込んで乗せる事ができるフック。
６  ねじ式、調整可能レバーハンドル取り付け部。
７  バスケット又はかご等の固定ベルト。
８  ねじ式、固定ベルト取り付け部。
９  手動により取り外し、取り替え可能支柱の接合部内部構造。
１０  手動により取り外し、取り替え可能支柱の内部構造。
１１  ねじ式、車輪台と支柱の接合部。
１２  球体になった支柱下端部。
１３  ゴムタイヤ車輪。
１４  プラスチック素材で作れた車輪台。
１５  車輪台滑り防止用ストッパー 。
１６  らせん状ホース。
１７  ストッパーを操作する靴を履いた状態の人の足。
１８  付け替え支柱。
１９  調整可能レバーハンドル。
２０  雨具収納スペース。
２１  本考案専用のすずらん型ゴルフクラブヘッド保護キャップ。
２２  ゴルフクラブヘッド
２３  エプロン型になった本考案のゴルフバッグ専用カバー。
２４  スカート型になった本考案のゴルフバッグ専用カバー。
２５   身長１５７センチメートル程の人のイメージ図。
２６  用途に合わせて利用できる様々な種類のバスケットやカバン等。
２７  取り外し自由肩掛けベルト。
【図１】
0003124792.tif 000003
【図２】
0003124792.tif 000004
【図３】
0003124792.tif 000005
【図４】
0003124792.tif 000006
【図５】
0003124792.tif 000007
【図６】
0003124792.tif 000008
【図７】
0003124792.tif 000009
【図８】
0003124792.tif 000010
【図９】
0003124792.tif 000011
【図１０】
0003124792.tif 000012
【図１１】
0003124792.tif 000013
【図１２】
0003124792.tif 000014
【図１３】
0003124792.tif 000015
【図１４】
0003124792.tif 000016
【図１５】
0003124792.tif 000017
【図１６】
0003124792.tif 000018
【図１７】
0003124792.tif 000019
【図１８】
0003124792.tif 000020
【図１９】
0003124792.tif 000021
【図２０】
0003124792.tif 000022
【図２１】
0003124792.tif 000023